(57)【要約】【課題】  写真プリントの仕上がりを待つ顧客の待たされ感を低減する。【解決手段】  顧客が持参したメディアから読み出された複数の画像データファイルに係る複数のサムネイル画像のうち、未だディスプレイに表示されていないサムネイル画像を含む注文画面が表示される（Ｓ１１３）。そして、顧客が、注文画面を別の注文画面に切り換えるために切り換えボタンを操作すると（Ｓ１１６：ＹＥＳ）、切り換えボタンの操作が行われた時点でディスプレイに表示されていたサムネイル画像に係る画像データファイル群、その画像データファイル群の注文情報、及び画像データファイルに付与された整理番号が、すぐに送信部によって写真処理装置に送信される（Ｓ１１７）。【選択図】        図６Ｂ
2006276578.tif 000002
【特許請求の範囲】
【請求項１】
写真プリントの注文を受け付け、写真プリントを作成するプリントシステムであって、
記録媒体に記録されている複数の画像データファイルを読み出すための読み出し部と、
前記読み出し部によって読み出された複数の前記画像データファイルに係る複数の画像のうち少なくとも１つの画像を含む注文画面を表示するディスプレイと、
前記ディスプレイに表示されている画像に係るプリント枚数を含む注文情報を入力するための入力部と、
前記ディスプレイに表示され且つプリント枚数を１枚以上とする注文情報が付与された一又は複数の画像のうちの少なくとも１つの画像の写真プリントが、プリント枚数を１枚以上とする注文情報が付与された前記一又は複数の画像に対する注文が確定されるよりも前に作成されるように制御する制御手段とを有していることを特徴とするプリントシステム。
【請求項２】
前記制御手段は、プリント枚数を１以上とする注文情報が入力部から入力された画像の総数が第１の所定数に達するごとに写真プリントが作成されるように制御することを特徴とする請求項１に記載のプリントシステム。
【請求項３】
前記制御手段は、プリント枚数を１枚以上とする注文情報が前記入力部から入力された画像の数が前記第１の所定数に達した後に最初に前記ディスプレイに新たな前記注文画面が表示されるごとに写真プリントが作成されるように制御することを特徴とする請求項２に記載のプリントシステム。
【請求項４】
前記制御手段は、前記ディスプレイに表示された画像の総数が第２の所定数の自然数倍に達するごとに写真プリントが作成されるように制御することを特徴とする請求項１に記載のプリントシステム。
【請求項５】
前記第２の所定数が１つの前記注文画面に表示される画像の最大数であることを特徴とする請求項４に記載のプリントシステム。
【請求項６】
前記制御手段は、前記ディスプレイに表示されている前記注文画面を切り換えるための操作がｎ回（ｎ：自然数）行われるごとに写真プリントが作成されるように制御することを特徴とする請求項１に記載のプリントシステム。
【請求項７】
少なくとも前記入力部によってプリント枚数を１以上とする注文情報が付与された画像に係る画像データファイルに対して整理番号を付与する番号付与手段をさらに有していることを特徴とする請求項１〜６のいずれか１項に記載のプリントシステム。
【請求項８】
前記整理番号が、まとめて作成される写真プリントに係る画像データファイルに共通の番号と、まとめて作成される写真プリントに係る画像データファイルごとに共通の番号とを含んでいることを特徴とする請求項７に記載のプリントシステム。
【請求項９】
前記整理番号が、まとめて作成される写真プリントに係る画像データファイルを格納するデータフォルダのフォルダ名の少なくとも一部を構成していることを特徴とする請求項７又は８に記載のプリントシステム。
【請求項１０】
写真プリントの裏面に前記整理番号を印字する印字部をさらに有していることを特徴とする請求項７〜９のいずれか１項に記載のプリントシステム。
【請求項１１】
少なくとも前記整理番号が記載された受付証を印字する受付証印字プリンタをさらに有していることを特徴とする請求項７〜１０のいずれか１項に記載のプリントシステム。
【請求項１２】
記録媒体に記録されている複数の画像データファイルを読み出すための読み出し部と、
前記読み出し部によって読み出された複数の前記画像データファイルに係る複数の画像のうち少なくとも１つの画像を含む注文画面を表示するディスプレイと、
前記ディスプレイに表示されている画像に係るプリント枚数を含む注文情報を入力するための入力部と、
前記ディスプレイに表示され且つプリント枚数を１枚以上とする注文情報が付与された一又は複数の画像のうちの少なくとも１つの画像の写真プリントが、プリント枚数を１枚以上とする注文情報が付与された前記一又は複数の画像に対する注文が確定されるよりも前に作成されるように制御する制御手段とを有していることを特徴とするプリント注文受付装置。
【発明の詳細な説明】
【技術分野】
【０００１】
本発明は、写真プリントの注文を受け付けるプリント注文受付装置、及び写真プリントの注文を受け付け、写真プリントを作成するプリントシステムに関する。
【背景技術】
【０００２】
近年、ＤＰ店の店頭に設置されており、デジタルカメラで撮影した画像データファイル等のプリントの注文を受け付けるプリント注文受付装置が知られている（特許文献１参照）。係るプリント注文受付装置は、タッチパネル式のディスプレイを備えている。そして、顧客が自ら持参した画像データファイルが記録されたメディアをプリント注文受付装置にセットすると、当該メディアに記録された画像データファイルに係るサムネイル画像がディスプレイに表示される。このとき、メディアに記録された画像データファイルのコマ数が多い場合には、サムネイル画像は、複数ページに分けて、例えば８コマ毎に表示される。顧客は、ディスプレイに表示されたサムネイル画像を確認し、タッチパネルを介して、当該画像のプリント枚数等の注文情報を入力することが可能となっている。
【０００３】
また、ＤＰ店内には、プリント注文受付装置とデータ伝送ネットワークによって接続されており、プリント注文受付装置が受け取った画像データファイル及び注文情報を取得可能な写真処理装置が設置されている。写真処理装置は、プリント注文受付装置から取得した画像データファイル及び注文情報に基づいて印画紙に画像をプリントし、写真プリントを作成する。
【特許文献１】特開２００３−１２１９４６号公報
【発明の開示】
【発明が解決しようとする課題】
【０００４】
上述のようなプリント注文受付装置と写真処理装置とからなるプリントシステムでは、顧客がメディアに記録された全ての画像データファイルに対して注文情報の入力を終え、注文の確定を行った後、写真処理装置が当該画像データファイル及び注文情報を取得する。つまり、全ての画像データファイルに係るプリントの注文が確定された後、写真処理装置におけるプリント処理が開始される。ここで、写真処理装置において、プリント処理を開始してから１枚目の写真プリントが仕上がるまでには、約１０分程度かかる。したがって、顧客は、プリントの注文を終えた後、１枚目の写真プリントが仕上がるまで１０分程度待たされた後、さらに全ての写真プリントが仕上がるまで数十分程度待たされる。
【０００５】
そこで、本発明の目的は、写真プリントの仕上がりを待つ顧客の待たされ感を低減することができるプリント注文受付装置及びプリントシステムを提供することである。
【課題を解決するための手段及び効果】
【０００６】
本発明のプリントシステムは、写真プリントの注文を受け付け、写真プリントを作成するプリントシステムであって、記録媒体に記録されている複数の画像データファイルを読み出すための読み出し部と、前記読み出し部によって読み出された複数の前記画像データファイルに係る複数の画像のうち少なくとも１つの画像を含む注文画面を表示するディスプレイと、前記ディスプレイに表示されている画像に係るプリント枚数を含む注文情報を入力するための入力部と、前記ディスプレイに表示され且つプリント枚数を１枚以上とする注文情報が付与された一又は複数の画像のうちの少なくとも１つの画像の写真プリントが、プリント枚数を１枚以上とする注文情報が付与された前記一又は複数の画像に対する注文が確定されるよりも前に作成されるように制御する制御手段とを有している。
【０００７】
本発明のプリント注文受付装置は、記録媒体に記録されている複数の画像データファイルを読み出すための読み出し部と、前記読み出し部によって読み出された複数の前記画像データファイルに係る複数の画像のうち少なくとも１つの画像を含む注文画面を表示するディスプレイと、前記ディスプレイに表示されている画像に係るプリント枚数を含む注文情報を入力するための入力部と、前記ディスプレイに表示され且つプリント枚数を１枚以上とする注文情報が付与された一又は複数の画像のうちの少なくとも１つの画像の写真プリントが、プリント枚数を１枚以上とする注文情報が付与された前記一又は複数の画像に対する注文が確定されるよりも前に作成されるように制御する制御手段とを有している。
【０００８】
これらの構成によると、プリント枚数を１以上とする注文情報が付与された一又は複数の画像に対する注文が確定された後、写真プリントの作成を開始する場合と比べて、１枚目の写真プリントが早く仕上がる。これにより、顧客は、１枚目の写真プリントを早く手にすることができる。また、顧客は、残りの写真プリントが仕上がるまでの間、既に仕上がった写真プリントを観賞しながら待つことができる。その結果、写真プリントの仕上がりを待つ顧客の待たされ感を低減することができる。
【０００９】
なお、本発明において、「注文が確定される」とは、単に注文画面の切換操作が行われることを意味するのではなく、顧客が写真プリントを発注するための最終的な操作が行われることを意味するとする。
【００１０】
本発明のプリントシステムでは、前記制御手段は、プリント枚数を１以上とする注文情報が入力部から入力された画像の総数が第１の所定数に達するごとに写真プリントが作成されるように制御してもよい。この構成によると、プリント枚数を１枚以上とする注文情報が付与された一又は複数の画像に対する注文情報が確定される直前に写真プリントの作成を開始する場合と比べて、迅速に写真プリントの作成を開始することが可能となる。
【００１１】
本発明のプリントシステムでは、前記制御手段は、プリント枚数を１枚以上とする注文情報が前記入力部から入力された画像の数が前記第１の所定数に達した後に最初に前記ディスプレイに新たな前記注文画面が表示されるごとに写真プリントが作成されるように制御してもよい。これに反して、例えば、プリント枚数を１以上とする注文情報が入力部から入力された画像の総数が第１の所定数に達した後、すぐに写真プリントが作成されるようにした場合には、写真プリントの作成が開始された後でも当該写真プリントに係る画像を含む注文画面がディスプレイに表示されている間は当該写真プリントに係る注文情報が変更される可能性が高いために、操作者にとって不便である。ところが上述の構成によると、プリント枚数を１枚以上とする注文情報を入力した画像の数が第１の所定数に達した後に、ディスプレイに新たな注文画面を表示するための操作が行われた、すなわち、プリントシステムの操作者が、その時点で注文画面に表示されている画像の写真プリントが入力部によって入力した注文情報で作成されることに同意した後に、当該第１の所定数の画像の写真プリントを作成することができる。
【００１２】
本発明のプリントシステムでは、前記制御手段は、前記ディスプレイに表示された画像の総数が第２の所定数の自然数倍に達するごとに写真プリントが作成されるように制御してもよい。
【００１３】
この構成によると、プリント枚数を１枚以上とする注文情報が付与された一又は複数の画像に対する注文情報が確定される直前に写真プリントの作成を開始する場合と比べて、迅速に写真プリントの作成を開始することが可能となる。
【００１４】
また、例えば、プリント枚数を１枚以上とする注文情報が付与される画像が、ディスプレイに初めの方に表示される画像には疎らであり、後の方に表示される画像に集中している場合に、制御手段によって、プリント枚数を１以上とする注文情報が入力部から入力された所定数の画像ごと写真プリントが作成されるように制御されると、プリント枚数を１以上とする注文情報が入力部から入力された画像が所定数に達するまでに時間がかかり、迅速に写真プリントの作成を開始することができない。この構成によると、このような場合であっても、初めの方に表示される画像の写真プリントをより迅速に作成することができる。
【００１５】
本発明のプリントシステムでは、前記第２の所定数が１つの前記注文画面に表示される画像の最大数であってもよい。
【００１６】
本発明のプリントシステムでは、前記制御手段は、前記ディスプレイに表示されている前記注文画面を切り換えるための操作がｎ回（ｎ：自然数）行われるごとに写真プリントが作成されるように制御してもよい。
【００１７】
これらの構成によると、ディスプレイに新たな注文画面を表示するための操作が行われた、すなわち、プリントシステムの操作者が、その時点で注文画面に表示されている画像の写真プリントが入力部によって入力した注文情報で作成されることに同意した後に、写真プリントを作成することができる。
【００１８】
本発明のプリントシステムは、少なくとも前記入力部によってプリント枚数を１以上とする注文情報が付与された画像に係る画像データファイルに対して整理番号を付与する番号付与手段をさらに有していることが好ましい。
【００１９】
例えば、複数の顧客から同時に写真プリントの注文を受け付けることが可能なプリントシステムである場合や、顧客から受け付けた注文のプリント処理と並行して、フィルムからのプリント処理を行うことが可能なプリントシステムである場合には、顧客が一括注文する複数の画像データファイル（一又は複数の注文画面に表示される画像に係る画像データファイル）のプリント処理が連続して行われず、制御手段の制御によって順次写真プリントが作成される画像データファイルのプリント処理の間に、別の注文に係るプリント処理が行われることがある。しかしながら、上記の構成によると、そのような場合であっても、整理番号から、顧客が一括注文した複数の画像データファイルを知ることができる。したがって、プリントシステムにおける画像データファイルの管理が容易となる。
【００２０】
本発明のプリントシステムは、前記整理番号が、まとめて作成される写真プリントに係る画像データファイルに共通の番号と、まとめて作成される写真プリントに係る画像データファイルごとに共通の番号とを含んでいてもよい。この構成によると、まとめて作成される写真プリントに係る画像データファイルの識別が容易となる。
【００２１】
本発明のプリントシステムは、まとめて作成される写真プリントに係る画像データファイルを格納するデータフォルダのフォルダ名の少なくとも一部を構成していてもよい。この構成によると、ディレクトリ構成から、まとめて作成される写真プリントに係る画像データファイル及び顧客によって一括注文された画像データファイルを識別することが可能となる。
【００２２】
本発明のプリントシステムは、写真プリントの裏面に前記整理番号を印字する印字部をさらに有していることが好ましい。この構成によると、写真プリントの裏面に印字された整理番号から、その写真プリントがどの顧客のものかが分かる。したがって、写真プリントの管理が容易となる。
【００２３】
本発明のプリントシステムは、少なくとも前記整理番号が記載された受付証を印字する受付証印字プリンタをさらに有していることが好ましい。この構成によると、顧客が、自ら行った写真プリントの注文の状況を把握しやすくなる。
【発明を実施するための最良の形態】
【００２４】
以下、本発明の好適な実施の形態について、図面を参照しつつ説明する。図１は、本実施の形態に係るプリントシステムの概略構成を示す図である。
【００２５】
図１に示すように、プリントシステム１は、顧客から写真プリントの注文を受け付ける２台のプリント注文受付装置１０１と、写真プリントを作成する写真処理装置２０１とを備えている。本実施の形態のプリントシステム１は、ＤＰ店の既設の写真処理装置２０１に、イーサネット（登録商標）ケーブル３１０及びハブ３２０を含むデータ伝送ネットワーク３０１により、２台のプリント注文受付装置１０１を接続することによって構築されたものである。
【００２６】
プリントシステム１では、顧客が、持参したデジタルカメラで撮影された画像データファイルを保存したスマートメディア、コンパクトフラッシュ（登録商標）、メモリスティック（登録商標）や、個人で画像データファイルを保存したＣＤ−Ｒ、ＭＯ等の記録媒体（以降、まとめて「メディア」と称する）をプリント注文受付装置１０１にセットすると、プリント注文受付装置１０１が、セットされたメディアから画像データファイルを読み出すと共に、これらの画像データファイル及びこれらの画像データファイルに対して顧客が入力したプリントサイズやプリント枚数等の注文情報を写真処理装置２０１に送信し、写真処理装置２０１が、プリント注文受付装置１０１から受信した画像データファイル及び注文情報に基づいて写真プリントを作成する。
【００２７】
プリント注文受付装置１０１は、図２に示すように、プリント注文受付装置１０１を制御するコントローラ１２０を格納する筐体１１０と、筐体１１０の上面に配置されており、プリント注文受付装置１０１に関する様々な情報を表示して操作者（顧客）に告知するディスプレイ１３０とを備えている。ディスプレイ１３０の表面には、注文情報等を入力するためのタッチパネル１３１が形成されている。また、筐体１１０の前面（図２における紙面左手前側の面）には、各種メディアにそれぞれ対応する複数のメディアドライブ１４０が設けられている。メディアドライブ１４０は、セットされたメディアに記録された画像データファイルを読み出す。さらに、筐体１１０の上面には、後で詳述する受付証を印字する受付証印字プリンタ１５０が設けられている。
【００２８】
ここで、図３に、コントローラ１２０の主要部の構成を示す。図３に示すように、コントローラ１２０には、データ伝送ネットワーク３０１に接続するためのネットワークインターフェイス１２９が接続されている。また、コントローラ１２０は、番号付与部１２１、画像記憶部１２２、表示制御部１２３、注文情報記憶部１２４、顧客情報記憶部１２５、注文情報書換部１２６、送信部１２７、及び受付証発行部１２８を有している。
【００２９】
番号付与部１２１は、メディアドライブ１４０によって読み出された複数の画像データファイル、及び当該画像データファイルに対して顧客が入力した注文情報に、注文番号と枝番号とからなる整理番号をそれぞれ付与する。なお、注文情報には、当該注文情報に係る画像データファイルと同一の整理番号が付与される。ここで、注文番号とは、顧客によって一括注文された複数の画像データファイル（顧客が持参したメディアに記録された複数の画像データファイル）に共通する番号である。また、枝番号は、後述する注文画面４０（図１１、図１２参照）に同時に表示される複数のサムネイル画像に係る画像データファイル群に共通する番号である。なお、本実施の形態では、注文画面４０に同時に表示可能なサムネイル画像の数は８コマである。したがって、８コマ分の画像に対応する画像データファイルに対して、１つの画像データファイル群として共通の枝番号が付与される。
【００３０】
画像記憶部１２２は、メディアドライブ１４０によって読み出された複数の画像データファイル、及び番号付与部１２１が各画像データファイルに付与した整理番号を記憶する。ここで、画像記憶部１２２のディレクトリ構成を図１６に示す。図１６に示すように、本実施の形態では、メディアからImage001.jpg〜Image020.jpgの２０個の画像データファイルが読み出される。そして、画像記憶部１２２は、２０個の画像データファイルを、Image001.jpg〜Image008.jpg、Image009.jpg〜Image016.jpg、Image017.jpg〜Image020.jpgの３つの画像データファイル群に分けてデータフォルダに格納する。各画像データファイル群が格納されるデータフォルダのフォルダ名は、番号付与部１２１によって画像データファイルに付与された整理番号となっている。ここで、図１６に示すように、画像データファイルImage001.jpg〜Image020.jpgの注文番号はｏ０００００１２であり、３つの画像データファイル群Image001.jpg〜Image008.jpg、Image009.jpg〜Image016.jpg、Image017.jpg〜Image020.jpgの枝番号はそれぞれ０１、０２、０３である。
【００３１】
表示制御部１２３は、ディスプレイ１３０に、後で詳述する初期画面１０（図８参照）、メディアセット案内画面２０（図９参照）、プリントサイズ選択画面３０（図１０参照）、注文画面４０（図１１、図１２参照）、名前入力画面５０（図１３参照）、注文内容確認画面６０（図１４参照）、及び受付証発行画面７０（図１５参照）を表示する。また、表示制御部１２３は、８コマのサムネイル画像を含む注文画面４０を、画像記憶部１２２に記憶されている複数の画像データファイルに係る複数の画像のうち、未だディスプレイ１３０に表示されていない画像を含む別の注文画面４０に切り換える。
【００３２】
注文情報記憶部１２４は、顧客がタッチパネル１３１を用いて入力した各画像データファイルに対する注文情報、及び番号付与部１２１が注文情報に付与した整理番号を記憶する。注文情報記憶部１２４は、顧客が注文する写真プリントのサイズを記憶するプリントサイズ記憶部１２４ａと、画像記憶部１２２に記憶されている複数の画像データファイルに係る複数の画像のプリント枚数をそれぞれ記憶するプリント枚数記憶部１２４ｂとを有している。なお、本実施の形態では、プリントサイズ記憶部１２４ａには、デフォルトでＬ版サイズでプリントされるように記憶されている。また、プリント枚数記憶部１２４ｂには、デフォルトで各画像が１枚ずつプリントされるように記憶されている。顧客情報記憶部１２５は、図１３に示す名前入力画面５０で顧客が入力した名前を記憶する。
【００３３】
注文情報書換部１２６は、プリントサイズ書換部１２６ａと、プリント枚数書換部１２６ｂとを有している。プリントサイズ書換部１２６ａは、プリントサイズ記憶部１２４ａに記憶されているプリントサイズを、図１０に示すプリントサイズ選択画面３０で顧客が選択したプリントサイズに書き換える。プリント枚数書換部１２６ｂは、プリント枚数記憶部１２４ｂに記憶されている各画像のプリント枚数を、図１１、１２に示す注文画面４０で各画像に対して顧客が入力したプリント枚数に書き換える。
【００３４】
送信部１２７は、タッチパネル１３１を用いて、８コマのサムネイル画像を含む注文画面４０を別のサムネイル画像を含む別の注面画面４０に切り換えるための操作が顧客によって行われた際、及び注文画面４０を名前入力画面５０に切り換えるための操作が顧客によって行われた際に、タッチパネル１３１の操作が行われた時点で注文画面４０に表示されていたサムネイル画像に係る画像データファイル群、それらのサムネイル画像に対して顧客が入力した注文情報、及びその画像データファイル群に対して付与された整理番号（以降、まとめて「プリント情報」と称する）を写真処理装置２０１に送信する。なお、プリント不要の画像データファイル、即ちプリント枚数記憶部１２６ｂにゼロ枚と記憶されている画像データファイルは、写真処理装置２０１に送信されない。
【００３５】
受付証発行部１２８は、図１７に示すような受付証が印字されるように受付証印字プリンタ１５０を制御する。図１７に示すように、受付証には、プリント注文受付装置１０１を特定する端末ＩＤ、顧客情報記憶部１２５に記憶されている顧客の名前、番号付与部１２１によって付与された注文番号及び枝番号、注文情報記憶部１２４に記憶されているプリントサイズ及びプリント枚数、顧客が注文した写真プリントの料金等が印字される。
【００３６】
次に、図４を参照しつつ、写真処理装置２０１の概略構成について説明する。図４に示すように、写真処理装置２０１は、インターフェイス部２１０と、フィルムスキャナ２２０と、コントローラ２３０と、プリンタプロセッサ２５０とを有している。
【００３７】
インターフェイス部２１０では、写真処理装置２０１とそれを操作するオペレータとの間の情報のやり取りが行われる。インターフェイス部２１０は、写真処理装置２０１に関する様々な情報を表示してオペレータに告知するディスプレイ２１１と、オペレータが写真処理装置２０１に対して指示を与えるキーボード２１２やマウス２１３からなる入力デバイスとを有している。
【００３８】
フィルムスキャナ２２０は、写真フィルムを副走査方向（図４において矢印Ａで示す方向）に一定速度で搬送するフィルムキャリア２２１と、フィルムキャリア２２１によって搬送される写真フィルムに光を照射する光源２２２と、写真フィルムを透過した光を受光するように配置されており、写真フィルムのコマ画像を光電変換するためのＣＣＤラインセンサユニット２２６と、ＣＣＤラインセンサユニット２２６の出力信号を処理する図示しない処理回路とを有している。
【００３９】
ＣＣＤラインセンサユニット２２６は、約５０００個の受光部を写真フィルムの幅方向に配列したＣＣＤラインセンサを３列に並べて備えており、各ＣＣＤラインセンサの受光面にはそれぞれ赤色、緑色、青色のカラーフィルタが形成されて、写真フィルムのコマ画像を色分解して検出する。処理回路は、ＣＣＤラインセンサユニット２２６の出力アナログ信号を増幅した後Ａ／Ｄ変換を行って出力する。従って、フィルムスキャナ２２０では、フィルムキャリア２２１に写真フィルムがセットされると、搬送される写真フィルム上のコマ画像が順次読み取られて、赤色、緑色、青色毎のデジタル画像データファイルがコントローラ２３０に対して送信される。
【００４０】
コントローラ２３０では、写真処理装置２０１の制御が行われる。コントローラ２３０には、データ伝送ネットワーク３０１に接続するためのネットワークインターフェイス２３９が接続されている。さらに、コントローラ２３０には、ＣＤ−Ｒ（Compact Disc-Recordable：１度だけ書き込み可能な追記型ＣＤ）に対してデータの読み書きを行うＣＤ−Ｒドライブ２６１が接続されている。
【００４１】
なお、本実施の形態の写真処理装置２０１では、ＣＤ−Ｒドライブ２６１が接続されていることにより、顧客が持参したメディアに記録されている画像データファイル、またはフィルムスキャナ２２０から取り込まれた画像データファイルをＣＤ−Ｒに書き込むサービスを提供することができるが、本発明に関連しないので、説明は省略する。
【００４２】
ここで、図５に、コントローラ２３０の主要部の構成を示す。図５に示すように、コントローラ２３０は、データ前処理部２３１、画像記憶部２３２、プリント管理部２３３、画像処理部２３４、搬送制御部２３５、切断制御部２３６、露光制御部２３７、及び印字制御部２３８を有している。
【００４３】
データ前処理部２３１は、プリント注文受付装置１０１から受信したプリント情報を、画像データファイルと注文情報とに区分けする。そして、画像データファイルは、対応する整理番号と共に画像記憶部２３２に転送される。また、注文情報は、対応する整理番号と共にプリント管理部２３３に転送される。画像記憶部２３２は、データ前処理部２３１から転送された画像データファイル及び整理番号を記憶する。プリント管理部２３３は、データ前処理部２３１から転送された注文情報に基づいて、注文通りのプリントサイズとプリント枚数で写真プリントが作成されるように搬送制御部２３５、切断制御部２３６、露光制御部２３７、及び印字制御部２３８を管理する。
【００４４】
画像処理部２３４は、画像記憶部２３４に記憶されている画像データファイルに対して、必要に応じて色・濃度を補正するための処理、プリントサイズに合致した画像サイズに変換するための処理等の画像処理を施す。
【００４５】
搬送制御部２３５は、プリント管理部２３３が取得した注文情報通りに写真プリントが作成されるように、後述する搬送ローラ対２５５の動作を制御する。切断制御部２３６は、プリント管理部２３３が取得した注文情報通りに写真プリントが作成されるように、後述するカッター２５６の動作を制御する。露光制御部２３７は、画像処理部２３４によって画像処理が施された画像データファイルに係る画像の潜像が印画紙の乳剤面に形成されるように、後述する露光ユニット２５８を制御する。印字制御部２３８は、図１９に示すように、印画紙の非乳剤面（写真プリントの裏面）に、顧客が注文を行ったプリント注文受付装置１０１の端末ＩＤ（図１９においては、「ＣＴ−２」）と、乳剤面に形成される画像に対応する画像データファイルの整理番号（図１９においては、「ｏ０００００１２−０１」）と、画像処理部２３４によって行われた色・濃度補正の補正値（図１９においては、「ＮＮＮＮ」）が印字されるように、後述する印字ユニット２５７を制御する。
【００４６】
プリンタプロセッサ２５０は、コントローラ２３０から送信された画像処理済みの画像データファイルに基づいて、印画紙に対して露光を行うプリンタ２５１と、露光済みの印画紙に対して現像、漂白、安定化などの処理が施されるプロセッサ２５２と、プロセッサ２５２から排出された印画紙を乾燥させる仕上げ処理部２５３とを有している。
【００４７】
プリンタ２５１は、印画紙を収納するペーパーマガジン２５４と、印画紙をペーパーマガジン２５４から引き出しつつ搬送する複数の搬送ローラ対２５５とを有している。さらに、プリンタ２５１には、搬送ローラ対２５５によって搬送される印画紙の搬送方向（図４において矢印Ｂで示す方向）上流側から順番にカッター２５６、印字ユニット２５７、及び露光ユニット２５８が配置されている。したがって、ペーパーマガジン２５４から引き出された印画紙は、カッター２５６によってプリントサイズにカットされた後、上述したように、画像データファイルの整理番号等が、印字ユニット２５７によって印画紙の非乳剤面に印字される。そして、露光ユニット２５８によって、印画紙の乳剤面に対して画像処理部２３４によって画像処理が施された画像データファイルに対応する画像の潜像が形成される。なお、露光ユニット２５８は、例えばレーザ露光方式、ＰＬＺＴ方式、ＣＲＴ方式など適宜のものを採用することができる。
【００４８】
そして、プリンタ２５１において潜像が形成された印画紙は、プロセッサ２５２を経て仕上げ処理部２５３へと搬送され、仕上がりの写真プリントとして排出される。
【００４９】
なお、本実施の形態の写真処理装置２０１では、データ伝送ネットワーク３０１によって接続されている２台のプリント注文受付装置１０１からそれぞれ送信される画像データファイルのプリント処理を並列して行うことができる。また、２台のプリント注文受付装置１０１からそれぞれ信される画像データファイルのプリント処理に加えて、フィルムスキャナ２２０から送信される画像データファイルのプリント処理を並列して行うこともできる。
【００５０】
ここで、本実施の形態のプリントシステム１において、写真プリントを作成する手順について説明する。まず、図６、図７を用いて、プリント注文受付装置１０１における処理手順について説明する。図６は、プリント注文受付装置１０１において写真プリントの注文を受け付ける手順を示すフローチャートである。図７は、図６に示すフローチャート中に行われる割り込み処理の手順を示すフローチャートである。
【００５１】
まず、表示制御部１２３によって、ディスプレイ１３０に、図８に示すような初期画面１０が表示される（ステップＳ１０１）。初期画面１０には、図８に示すように、写真プリントの注文を希望する顧客に対して、タッチパネル１３１となっているディスプレイ１３０の画面に触れるように促すメッセージが表示される。そして、顧客がディスプレイ１３０の画面に触れたか否かが判断される（ステップＳ１０２）。
【００５２】
顧客がディスプレイ１３０の画面に触れていないと判断された場合には（ステップＳ１０２：ＮＯ）、ディスプレイ１３０の画面に触れたと判断されるまで、ステップＳ１０２の判断が繰り返される。一方、顧客がディスプレイ１３０の画面に触れたと判断された場合には（ステップＳ１０２：ＹＥＳ）、表示制御部１２３によって、ディスプレイ１３０に、図９に示すようなメディアセット案内画面２０が表示される（ステップＳ１０３）。メディアセット案内画面２０には、図９に示すように、顧客に対して、持参したメディアをメディアドライブ１４０にセットし、画面右下に表示されているＯＫボタン２１を押すように促すメッセージが表示される。
【００５３】
その後、後で詳述する割り込み処理が開始される（ステップＳ１０４）。引き続いて、メディアセット案内画面２０のＯＫボタン２１が操作されたか否かが判断される（ステップＳ１０５）。ＯＫボタン２１が操作されていないと判断された場合には（ステップＳ１０５：ＮＯ）、ＯＫボタン２１が操作されたと判断されるまで、ステップＳ１０５の判断が繰り返される。一方、ＯＫボタン２１が操作されたと判断された場合には（ステップＳ１０５：ＹＥＳ）、メディアドライブ１４０によって、セットされたメディアに記録された画像データファイルが読み出される（ステップＳ１０６）。さらに、番号付与部１２１によって、メディアから読み出された複数の画像データファイルに対して、整理番号がそれぞれ付与される（ステップＳ１０７）。
【００５４】
次いで、表示制御部１２３によって、ディスプレイ１３０に、図１０に示すようなプリントサイズ選択画面３０が表示される（ステップＳ１０８）。プリントサイズ選択画面３０には、図１０に示すように、Ｌ版、２Ｌ版、六つ切の３つのプリントサイズの大きさ、単価、基本料金がそれぞれ表示される。また、Ｌ版選択ボタン３１、２Ｌ版選択ボタン３２、及び六つ切選択ボタン３３が表示される。
【００５５】
続いて、Ｌ版選択ボタン３１、２Ｌ版選択ボタン３２、または六つ切選択ボタン３３のいずれか１つが操作され、プリントサイズが選択されたか否かが判断される（ステップＳ１０９）。プリントサイズが選択されていないと判断された場合には（ステップＳ１０９：ＮＯ）、プリントサイズが選択されたと判断されるまで、ステップＳ１０９の判断が繰り返される。一方、プリントサイズが選択されたと判断された場合には（ステップＳ１０９：ＹＥＳ）、プリントサイズ記憶部１２４ａに記憶されているプリントサイズが選択されたプリントサイズに書き換えられる（ステップＳ１１０）。
【００５６】
その後、メディアから読み出された複数の画像データファイルが、画像記憶部１２２に記憶される（ステップＳ１１１）。このとき、各画像データファイルは、番号付与部１２１によって付与された整理番号に対応するフォルダ名のデータフォルダに格納される。
【００５７】
さらに、メディアから読み出した複数の画像データファイルに係る複数のサムネイル画像のうち、未だディスプレイ１３０に表示されていないサムネイル画像が８コマ以下であるか否かが判断される（ステップＳ１１２）。
【００５８】
未表示のサムネイル画像が８コマ以下ではないと判断された場合には（ステップＳ１１２：ＮＯ）、ディスプレイ１３０に、図１１に示すような、注文画面４０が表示される（ステップＳ１１３）。注文画面４０には、図１１に示すように、８コマのサムネイル画像と、各サムネイル画像のプリント枚数とが表示される。また、各サムネイル画像のプリント枚数を増加させる増加ボタン４１及び減少させる減少ボタン４２が表示される。さらに、注文画面４０の右下には、注文画面４０を未だディスプレイ１３０表示されていないサムネイル画像を含む別の注文画面４０に切り換えるための切換ボタン４３が表示される。
【００５９】
続いて、増加ボタン４１または減少ボタン４２が操作されて、プリント枚数が入力されたか否かが判断される（ステップＳ１１４）。プリント枚数の入力が行われていないと判断された場合には（ステップＳ１１４：ＮＯ）、後述するステップＳ１１５を省略してステップＳ１１６に進む。一方、プリント枚数の入力が行われたと判断された場合には（ステップＳ１１４：ＹＥＳ）、プリント枚数記憶部１２４ｂに記憶されているプリント枚数を入力されたプリント枚数に変更する（ステップＳ１１５）。
【００６０】
次いで、切換ボタン４３が押されたか否かが判断される（ステップＳ１１６）。切換ボタン４３が押されていないと判断された場合には（ステップＳ１１６：ＮＯ）、ステップＳ１１４に戻り、再びプリント枚数の入力が行われたか否かが判断される。一方、切換ボタン４３が押されたと判断された場合には（ステップＳ１１６：ＹＥＳ）、切り換えボタン４３が押された時点で表示されていた注文画面４０に含まれる８コマのサムネイル画像に対応するプリント情報が、すぐに送信部１２７によって写真処理装置２０１に送信される（ステップＳ１１７）。その後、ステップＳ１１２に戻り、再び未表示のサムネイル画像が８コマ以下であるか否かが判断される。
【００６１】
未表示のサムネイル画像が８コマ以下であると判断された場合には（ステップＳ１１２：ＹＥＳ）、ディスプレイ１３０に、図１２に示すような、注文画面４０の最終ページが表示される（ステップＳ１１８）。注文画面４０の最終ページには、図１１に示す（最終ページでない）注文画面４０と同様に、サムネイル画像（８コマ以下）と、各サムネイル画像のプリント枚数と増加ボタン４１及び減少ボタン４２とが表示される。さらに、最終ページの注文画面４０の右下には、図１２に示すように、ＯＫボタン４４が表示される。
【００６２】
続いて、増加ボタン４１または減少ボタン４２が操作されて、プリント枚数が入力されたか否かが判断される（ステップＳ１１９）。プリント枚数の入力が行われていないと判断された場合には（ステップＳ１１９：ＮＯ）、後述するステップＳ１２０を省略してステップＳ１２１に進む。一方、プリント枚数の入力が行われたと判断された場合には（ステップＳ１１９：ＹＥＳ）、プリント枚数記憶部１２４ｂに記憶されているプリント枚数を入力されたプリント枚数に変更する（ステップＳ１２０）。
【００６３】
次いで、ＯＫボタン４４が押されたか否かが判断される（ステップＳ１２１）。ＯＫボタン４４が押されていないと判断された場合には（ステップＳ１２１：ＮＯ）、ステップＳ１１９に戻り、再びプリント枚数の入力が行われたか否かが判断される。一方、ＯＫボタン４４が押されたと判断された場合には（ステップＳ１２１：ＹＥＳ）、ＯＫボタン４４が押された時点で表示されていた最終ページの注文画面４０に含まれる８コマ以下のサムネイル画像に対応するプリント情報が、すぐに送信部１２７によって写真処理装置２０１に送信される（ステップＳ１２２）。
【００６４】
その後、表示制御部１２３によって、ディスプレイ１３０に、図１３に示すような名前入力画面５０が表示される（ステップＳ１２３）。名前入力画面５０には、図１３に示すように、名前を入力する入力キー５１と、入力キー５１から入力された名前を表示する表示部５２とが表示される。また、名前入力画面５０の右下には、ＯＫボタン５３が表示される。
【００６５】
そして、顧客が入力キー５１を用いて名前を入力し、ＯＫボタン５３を押したか否かが判断される（ステップＳ１２４）。ＯＫボタン５３が押されていないと判断された場合には（ステップＳ１２４：ＮＯ）、ＯＫボタン５３が押されたと判断されるまで、ステップＳ１２４での判断が繰り返される。一方、ＯＫボタン５３が押されたと判断された場合には（ステップＳ１２４：ＹＥＳ）、名前入力画面５０で入力された名前が、顧客情報記憶部１２５に記憶される（ステップＳ１２５）。
【００６６】
続いて、表示制御部１２３によって、ディスプレイ１３０に、図１４に示すような注文内容確認画面６０が表示される（ステップＳ１２６）。注文内容確認画面６０には、図１４に示すように、顧客の名前、顧客がプリントを注文した画像データファイルに付与された注文番号及び枝番号、プリントサイズ、プリント枚数、料金等が表示される。また、注文内容確認画面６０の右下には、ＯＫボタン６１が表示される。
【００６７】
ここで、顧客が、注文内容確認画面６０に表示された内容を確認し、ＯＫボタン６１を押したか否かが判断される（ステップＳ１２７）。ＯＫボタン６１が押されていないと判断された場合には（ステップＳ１２７：ＮＯ）、ＯＫボタン６１が押されたと判断されるまで、ステップＳ１２７の判断が繰り返される。一方、ＯＫボタン６１が押されたと判断された場合には（ステップＳ１２７：ＹＥＳ）、表示制御部１２３によって、ディスプレイ１３０に、図１５に示すような受付証発行画面７０が表示される（ステップＳ１２８）。受付証発行画面７０には、図１５に示すように、顧客に対してメディアドライブ１４０からメディアを取り出すように促すメッセージと、受付証を発行していることを告知するメッセージとが表示される。続いて、受付証発行部１２８が、受付証印字プリンタ１５０を制御して、図１７に示すような受付証を発行する（ステップＳ１２９）。
【００６８】
次いで、図７を用いて、図６のフローチャートのステップＳ１０４で開始される割り込み処理の手順について説明する。ここで行われる割り込み処理は、図９〜図１４に示す、メディアセット案内画面２０、プリントサイズ選択画面３０、注文画面４０、名前入力画面５０、及び注文内容確認画面６０の右下にそれぞれ表示される戻るボタン９１と、左下にそれぞれ表示される中止ボタン９２との操作に関する処理であり、図６のフローチャートのステップＳ１０５〜ステップＳ１２７の処理と並行して行われる。
【００６９】
まず、戻るボタン９１が操作されたか否かが判断される（ステップＳ２０１）。戻るボタン９１が操作されたと判断された場合には（ステップＳ２０１：ＹＥＳ）、表示制御部１２３によって、ディスプレイ１３０に表示される画面が、直前に表示していた画面に切り換えられる（ステップＳ２０２）。具体的には、例えば、１ページ目の注文画面４０の戻るボタン９１が操作された場合には、プリントサイズ選択画面３０に切り換えられる。また、例えば、１ページ目でない注文画面４０の戻るボタン９１が操作された場合には、直前に表示した注文画面４０に切り換えられる。一方、戻るボタン９１が操作されていないと判断された場合には（ステップＳ２０１：ＮＯ）、中止ボタン９２が操作されたか否かが判断される（ステップＳ２０３）。
【００７０】
中止ボタン９２が操作されたと判断された場合には（ステップＳ２０３：ＹＥＳ）、表示制御部１２３によって、ディスプレイ１３０に表示される画面が、初期画面１０に切り換えられる（ステップＳ２０４）。一方、中止ボタン９２が操作されなかったと判断された場合には（ステップＳ２０３：ＮＯ）、ステップＳ２０１に戻って、再び戻るボタン９１が操作されたか否かの判断が繰り返される。
【００７１】
このように、割り込み処理は、ディスプレイ１３０にメディアセット案内画面２０、プリントサイズ選択画面３０、注文画面４０、名前入力画面５０、または注文内容確認画面６０が表示されなくなるまで行われる。
【００７２】
次に、図１８を用いて、写真処理装置２０１における処理手順について説明する。図１８は、写真処理装置２０１において写真プリントを作成する手順を示すフローチャートである。
【００７３】
まず、プリント注文受付装置１０１からプリント情報を受信する（ステップＳ３０１）。次に、プリント情報が、データ前処理部２３１によって、画像データファイル群と注文情報とに区分けされる（ステップＳ３０２）。そして、画像データファイル群は整理番号と共に画像記憶部２３２に転送／記憶され、注文情報は整理番号と共にプリント管理部２３３に転送される（ステップＳ３０３）。
【００７４】
続いて、画像処理部２３４によって、画像記憶部２３２に記憶された画像データファイルに対して、各種画像処理が施される（ステップＳ３０４）。その後、複数の搬送ローラ対２５５によって、印画紙の搬送が開始される（ステップＳ３０５）。そして、カッター２５６によって、印画紙が、プリント管理部２３３が取得した注文情報に含まれるプリントサイズに切断される（ステップＳ３０６）。
【００７５】
さらに、印字ユニット２５７によって、印画紙の非乳剤面に、図１９に示すように、プリントの注文が行われたプリント注文受付装置１０１の端末ＩＤと、画像データファイルの整理番号と、色・濃度補正の補正値が印字される（ステップＳ３０７）。その後、露光ユニット２５８によって、印画紙の乳剤面に露光処理が施され、画像処理済みの画像データファイルに係る画像の潜像が形成される（ステップＳ３０８）。
【００７６】
次いで、潜像が形成された印画紙が、プリンタ２５１からプロセッサ２５２に送り込まれ、現像・漂白・安定化などの処理が施される（ステップＳ３０９）。さらに、画像が顕在化した印画紙が、プロセッサ２５２から仕上げ処理部２５３に送り込まれ、乾燥処理が施される（ステップＳ３１０）。その後、印画紙は、写真プリントとして写真処理装置２０１から排出される（ステップＳ３１１）。なお、１つの画像データファイル群に含まれる８コマ以下の画像データファイルが連続して写真処理装置２０１から排出されるように、露光処理などの順序が決められる。
【００７７】
以上のように、本実施の形態のプリントシステム１では、確認画面６０のＯＫボタン６１が押されて注文が確定される前に、注文画面４０においてプリント枚数を１以上とする注文情報が入力された画像に係るプリント情報が、送信部１２７によって写真処理装置２０１に送信される。したがって、メディアから読み出された全ての画像データファイルに対する注文が確定する前に、写真処理装置２０１において、プリント枚数を１枚以上とする注文情報が入力された画像データファイルに係る画像の写真プリントの作成を開始することができる。その結果、全ての画像データファイルに対する注文が確定した後に写真プリントの作成を開始する場合と比べて、１枚目の写真プリントが早く仕上がる。これにより、顧客は、１枚目の写真プリントを早く手にすることができる。また、顧客は、残りの写真プリントが仕上がるまでの間、既に仕上がった写真プリントを観賞しながら待つことができる。その結果、写真プリントの仕上がりを待つ顧客の待たされ感を低減することができる。
【００７８】
さらに、本実施の形態のプリントシステム１では、ディスプレイ１３０に８コマのサムネイル画像が表示されるごとに、当該８コマのサムネイル画像のうちプリント枚数を１枚以上とする注文情報が付与された画像に係るプリント情報が写真処理装置２０１に送信される。これにより、メディアから読み出された全ての画像データファイルに対する注文が確定される直前に写真プリントの作成を開始する場合と比べて、迅速に写真プリントの作成を開始することが可能となる。また、例えば、プリント枚数を１枚以上とする注文情報が付与される画像が、ディスプレイ１３０に初めの方に表示される画像には疎らであり、後の方に表示される画像に集中している場合であっても、初めの方に表示される画像の写真プリントをより迅速に作成することができる。
【００７９】
また、本実施の形態のプリントシステム１では、注文画面４０の切り換えボタン４３が押された際に、切り換えボタン４３が押された時点で注文画面４０に表示されていた８コマのサムネイル画像のうちプリント枚数を１枚以上とする注文情報が付与された画像に係るプリント情報が、送信部１２７によって写真処理装置２０１に送信される。したがって、顧客が、注文画面４０に表示されている画像に係る写真プリントが、タッチパネル１４１を用いて入力した注文情報で作成されることに同意した後に、当該注文画面４０に含まれる画像の写真プリントを作成することができる。
【００８０】
また、本実施の形態のプリントシステム１では、プリント注文受付装置１０１の番号付与部１２１が、メディアドライブ１４０によって読み出された複数の画像データファイルに対して、整理番号を付与する。したがって、写真処理装置２０１において、複数台のプリント注文受付装置１０１からの注文を同時に処理する場合や、フィルムスキャナ２２０から送信された画像データファイルのプリント処理と並行して処理を行う場合のように、顧客が一括注文する複数の画像データファイルのプリント処理が連続して行われず、写真処理装置２０１に順次送信された２つの画像データファイル群に係るプリント処理の間に、別の注文に係るプリント処理が行われる場合であっても、整理番号から、各写真プリントがどの顧客のものであるかを判断することができる。したがって、プリントシステム１における画像データファイルの管理が容易となる。
【００８１】
さらに、本実施の形態のプリントシステム１では、整理番号が、顧客によって一括注文された複数の画像データファイルに共通の部分である注文番号と、注文画面４０に同時に表示された８コマ以下のサムネイル画像に係る（送信部１２７によって一度に送信される）画像データファイル群に共通の部分である枝番号とからなる。したがって、顧客によって一括注文された複数の画像データファイルの範囲及び注文画面４０に同時に表示された８コマ以下のサムネイル画像に係る画像データファイル群の識別が容易となる。
【００８２】
加えて、本実施の形態のプリントシステム１では、整理番号が、注文画面４０に同時に表示された８コマ以下のサムネイル画像に係る（送信部１２７によって一度に送信される）画像データファイル群を格納するデータフォルダのフォルダ名となっている。したがって、ディレクトリ構成から、顧客によって一括注文された複数の画像データファイルの範囲及び注文画面４０に同時に表示された８コマ以下のサムネイル画像に係る画像データファイル群を識別することが可能となる。
【００８３】
さらに、本実施の形態のプリントシステム１では、写真処理装置２０１が、写真プリントの裏面に整理番号等を印字する印字ユニット２５７を備えている。したがって、写真プリントの裏面に印字された整理番号から、その写真プリントがどの顧客のものかが分かる。よって、写真プリントの管理が容易となる。
【００８４】
また、本実施の形態のプリントシステム１では、プリント注文受付装置１０１が、整理番号等が記載された受付証を印字する受付証印字プリンタ１５０を備えている。したがって、顧客が自ら行った写真プリントの注文の状況を把握しやすくなる。
【００８５】
次に、本発明の第２の実施の形態に係るプリントシステムについて説明する。第２の実施の形態に係るプリントシステムの構成が、第１の実施の形態に係るプリントシステム１の構成と主に異なる点は、プリントシステム１のプリント注文受付装置１０１が有する送信部１２７は、ディスプレイ１３０に表示されている注文画面４０を別の注文画面４０に切り換えるための操作が行われた際に、操作が行われた時点で注文画面４０に表示されていたサムネイル画像に係るプリント情報を写真処理装置２０１に送信するのに対して、本実施の形態のプリントシステムのプリント注文受付装置が有する送信部は、注文画面４０においてプリント枚数を１以上とする注文情報が入力された画像の数が所定数に達した後、最初に注文画面４０を別の注文画面４０に切り換えるための操作が行われた際に、当該所定数の画像に係るプリント情報を写真処理装置２０１に送信する点である。その他の構成については、図１に示すプリントシステム１とほぼ同様であるので、詳細な説明は省略する。なお、本実施の形態では、第１の実施の形態と同一の構成を有するものについては、第１の実施の形態と同一の符号を用いることとする。
【００８６】
本実施の形態のプリント注文受付装置が有する送信部は、注文画面４０においてプリント枚数を１以上とする注文情報が入力された画像の数が５に達した後、最初に注文画面４０を別の注文画面４０に切り換えるための切り換えボタン４３が押された際に、当該５つの画像に係るプリント情報を写真処理装置２０１に送信する。また、番号付与部は、メディアドライブ１４０によって読み出された複数の画像データファイルに対して、顧客によって一括注文された複数の画像データファイルに共通の部分である注文番号と、送信部によって一度に送信される５つの画像に係る画像データファイル群に共通の部分である枝番号とからなる整理番号を付与する。
【００８７】
以上のように、本実施の形態のプリントシステムは、第１の実施の形態のプリントシステム１と同様に、写真プリントの仕上がりを待つ顧客の待たされ感を低減することができる。
【００８８】
以上、本発明の好適な実施の形態について説明したが、本発明は上述の実施の形態に限られるものではなく、特許請求の範囲に記載した限りにおいて、様々な設計変更を行うことが可能なものである。例えば、上述の第１及び第２の実施の形態では、プリント注文受付装置１０１の番号付与部１２１が、メディアドライブ１４０によって読み出された複数の画像データファイルに対して整理番号を付与する場合について説明したが、これには限られない。写真処理装置２０１で写真プリントが作成される画像データファイル（顧客によってプリント枚数が１以上に設定された画像データファイル）にのみ整理番号が付与されてもよい。また、番号付与部１２１はなくてもよい。
【００８９】
また、上述の第１及び第２の実施の形態では、整理番号が、顧客によって一括注文された複数の画像データファイルに共通の部分である注文番号と、送信部によって一度に送信される画像データファイル群に共通の部分である枝番号とからなる場合について説明したが、これには限られない。例えば、番号付与部が、複数の画像データファイルを、送信部によって一度に送信される画像データファイル群毎に連続した整理番号を付与してもよい。つまり、顧客によって一括注文された複数の画像データファイルに付与された複数の整理番号が、共通の部分を含まなくてもよい。さらに、顧客によって一括注文された各画像データファイルに連続した整理番号を付与してもよい。つまり、１つの画像データファイル群に含まれる複数の画像データファイルに付与された複数の整理番号が、共通の部分を含まなくてもよい。このような場合であっても、これら複数の整理番号同士がプリント注文受付装置１０１の例えば番号付与部が生成した結合データで互いに結合され、その結合データが受付機から写真処理装置２０１に送られるようにすれば、上述した実施の形態と同様の利益が得られる。
【００９０】
また、上述の第１及び第２の実施の形態では、番号付与部が、注文情報に対して、当該注文情報に係る画像データファイルに付与した整理番号と同一の整理番号を付与する場合について説明したが、これに限らず、画像データファイルに付与した整理番号と異なる整理番号を付与してもよい。
【００９１】
さらに、上述の第１及び第２の実施の形態では、整理番号が、送信部によって一度に送信される画像データファイル群を格納するデータフォルダのフォルダ名となっている場合について説明したが、これには限られない。複数の画像データファイルと番号付与部によって付与された整理番号とを紐付けすることができればよく、例えば、複数の画像データファイルと整理番号との対応関係を示すデータを、別途作成するようにしてもよい。
【００９２】
加えて、上述の第１及び第２の実施の形態では、写真処理装置２０１が、写真プリントの裏面に整理番号等を印字する印字ユニット２５７を備えている場合について説明したが、印字ユニット２５７はなくてもよい。
【００９３】
さらに、上述の第１及び第２の実施の形態では、プリント注文受付装置１０１が、整理番号等が記載された受付証を印字する受付証印字プリンタ１５０を備えている場合について説明したが、受付証印字プリンタ１５０はなくてもよい。
【００９４】
また、上述の第１の実施の形態では、注文画面４０の切り換えボタン４３が押されるごとに、切り換えボタン４３が押された時点で注文画面４０に表示されていた８コマのサムネイル画像のうちプリント枚数を１以上とする注文情報が付与された画像に係るプリント情報が、送信部１２７によって写真処理装置２０１に送信される場合について説明したが、これには限られない。例えば、ディスプレイ１３０に表示されたサムネイル画像の総数が所定数（例えば５つ）に達するごとに、送信部１２７が当該所定数のサムネイル画像のうち、プリント枚数を１以上とする注文情報が付与されたサムネイル画像に係るプリント情報を写真処理装置２１０に送信するようにしてもよい。また、切り換えボタン４３が２回押されることによって、注文画面４０が２回切り換えられるごとに、２回目に切り換えボタン４３が押された時点で注文画面４０に表示されていた８コマのサムネイル画像及び、当該注文画面４０の直前に表示されていた注文画面４０に表示されていた８コマのサムネイル画像のうち、プリント枚数を１枚以上とする注文情報が付与された画像に係るプリント情報が、送信部１２７によって写真処理装置２０１に送信されるようにしてもよい。
【００９５】
さらに、上述の第２の実施の形態では、送信部が、注文画面４０においてプリント枚数を１以上とする注文情報が入力された画像の数が５に達した後、最初に注文画面４０を別の注文画面４０に切り換えるための操作が行われた際に、当該５つの画像に係るプリント情報を写真処理装置２０１に送信する場合について説明したが、これには限られない。例えば、送信部は、注文画面４０においてプリント枚数を１以上とする注文情報が入力された画像の数が５に達した後、すぐに当該５つの画像に係るプリント情報を写真処理装置２０１に送信してもよい。
【００９６】
また、上述の第１及び第２の実施の形態では、ディスプレイ１３０の表面にタッチパネル１３１が形成されており、顧客がタッチパネル１３１に触れることによって、プリント注文受付装置１０１に対して、注文情報の入力及びディスプレイ１３０に表示されている注文画面４０を別の注文画面４０に切り換えるための操作を行う場合について説明したが、プリント注文受付装置１０１への注文情報の入力及び注文画面４０を切り換えるための操作方法はこれには限られない。例えば、キーボードやマウスを用いてプリント注文受付装置１０１への注文情報の入力及び注文画面４０を切り換えるための操作を行うようにしてもよい。
【００９７】
さらに、上述の第１及び第２の実施の形態では、写真処理装置２０１のプリンタプロセッサ２５０において、露光・現像・漂白・安定化・乾燥などの処理を経て画像を形成し、写真プリントを作成する場合について説明したが、画像を形成する方法はこれには限られない。例えば、インクジェット式のプリンタで画像を形成するようにしてもよい。
【００９８】
また、上述の第１及び第２の実施の形態では、データ伝送ネットワーク３０１により写真処理装置２０１と接続されており、写真処理装置２０１と共にプリントシステム１を構築するプリント注文受付装置１０１について説明したが、プリント注文受付装置１０１は、プリンタが内蔵された独立型のものであってもよい。
【図面の簡単な説明】
【００９９】
【図１】本発明の第１の実施の形態に係るプリントシステムの概略構成を示す図である。
【図２】図１に示すプリント注文受付装置の概略構成を示す図である。
【図３】図２に示すコントローラの主要部の構成を示すブロック図である。
【図４】図１に示す写真処理装置の概略構成を示す図である。
【図５】図４に示すコントローラの主要部の構成を示すブロック図である。
【図６Ａ】図２に示すプリント注文受付装置において写真プリントの注文を受ける手順を示すフローチャート（前半）である。
【図６Ｂ】図２に示すプリント注文受付装置において写真プリントの注文を受ける手順を示すフローチャート（後半）である。
【図７】図６に示すフローチャート中で行われる割り込み処理の手順を示すフローチャートである。
【図８】図２に示すディスプレイに表示される初期画面を示す図である。
【図９】図２に示すディスプレイに表示されるメディアセット案内画面を示す図である。
【図１０】図２に示すディスプレイに表示されるプリントサイズ選択画面を示す図である。
【図１１】図２に示すディスプレイに表示される注文画面を示す図である。
【図１２】図２に示すディスプレイに表示される注文画面（最終ページ）を示す図である。
【図１３】図２に示すディスプレイに表示される名前入力画面を示す図である。
【図１４】図２に示すディスプレイに表示される注文内容確認画面を示す図である。
【図１５】図２に示すディスプレイに表示される受付証発行画面を示す図である。
【図１６】図３に示す画像記憶部のディレクトリ構成を示す説明図である。
【図１７】図２に示す受付証印字プリンタで印字される受付証を示す図である。
【図１８】図４に示す写真処理装置において写真プリントを作成する手順を示すフローチャートである。
【図１９】図４に示す写真処理装置で作成された写真プリントの裏面を示す図である。
【符号の説明】
【０１００】
１  プリントシステム
４０  注文画面
１０１  プリント注文受付装置
１２０  コントローラ
１２１  番号付与部（番号付与手段）
１２３  表示制御部
１２７  送信部（制御手段）
１３０  ディスプレイ
１３１  タッチパネル（入力部）
１４０  メディアドライブ（読み出し部）
１５０  受付証印字プリンタ
２０１  写真処理装置
２５０  プリンタプロセッサ
２５７  印字ユニット（印字部）
２５８  露光ユニット
３０１  データ伝送ネットワーク
【図１】
2006276578.tif 000003
【図２】
2006276578.tif 000004
【図３】
2006276578.tif 000005
【図４】
2006276578.tif 000006
【図５】
2006276578.tif 000007
【図６Ａ】
2006276578.tif 000008
【図６Ｂ】
2006276578.tif 000009
【図７】
2006276578.tif 000010
【図８】
2006276578.tif 000011
【図９】
2006276578.tif 000012
【図１０】
2006276578.tif 000013
【図１１】
2006276578.tif 000014
【図１２】
2006276578.tif 000015
【図１３】
2006276578.tif 000016
【図１４】
2006276578.tif 000017
【図１５】
2006276578.tif 000018
【図１６】
2006276578.tif 000019
【図１７】
2006276578.tif 000020
【図１８】
2006276578.tif 000021
【図１９】
2006276578.tif 000022